(57)【要約】      （修正有）【課題】良好な肌触り感を有しつつ、保湿剤を含侵させても、べたつきを感じさせ難く、適度なしっとり感を付与し得るティシュを提供する。【解決手段】ティシュ１は、凸部３を平面積１ｃｍ２あたり０．１〜３．５個有する。また、ティシュ１の平面視において凸部３が占有する割合は、５〜９５％であることが好ましい。各凸部３の平面視形状は、多角形状であることも好ましい。さらに、凸部３の平均高さは、０．１〜１．０ｍｍであることが好ましい。【選択図】図３
2019198477.tif 000002
【特許請求の範囲】
【請求項１】
凸部を平面積１ｃｍ２あたり０．１〜３．５個有することを特徴とするティシュ。
【請求項２】
各前記凸部は、線状の凹部で画成されている請求項１に記載のティシュ。
【請求項３】
各前記凹部の平均幅は、０．５〜９．５ｍｍである請求項２に記載のティシュ。
【請求項４】
当該ティシュの平面視において前記凸部が占有する割合は、５〜９５％である請求項１ないし３いずれかに記載のティシュ。
【請求項５】
各前記凸部の平面視形状は、多角形状である請求項１ないし４のいずれかに記載のティシュ。
【請求項６】
前記多角形状は、四角形状、六角形状または異形状である請求項５に記載のティシュ。
【請求項７】
前記凸部の平均高さは、０．１〜１．０ｍｍである請求項１ないし６のいずれかに記載のティシュ。
【請求項８】
保湿剤が含浸された保湿ティシュである請求項１ないし７のいずれかに記載のティシュ。
【発明の詳細な説明】
【技術分野】
【０００１】
本発明は、ティシュに関する。
【背景技術】
【０００２】
例えば、特許文献１には、高低差０．０１〜３．００ｍｍで４〜２００個／ｃｍ２のエンボス形状を形成することにより、しっとり感を向上させた保湿ティシュが開示されている。一般に、保湿ティシュは、保湿剤を含侵することにより、ドライティシュよりもしっとりとした肌触り感（しっとり感）を有している。
しかしながら、人によってはしっとり感をべたつきと感じることもある。特許文献１に記載の保湿ティシュでは、エンボス形状（凹凸形状）による凸部の配設密度が高過ぎ、多くの人がべたつきと感じてしまう。
【先行技術文献】
【特許文献】
【０００３】
【特許文献１】特開２００９−１７８５７２号公報
【発明の概要】
【発明が解決しようとする課題】
【０００４】
本発明の目的は、良好な肌触り感を有しつつ、保湿剤を含侵させても、べたつきを感じさせ難く、適度なしっとり感を付与し得るティシュを提供することにある。
【課題を解決するための手段】
【０００５】
このような目的は、下記の（１）〜（８）の本発明により達成される。
（１）  凸部を平面積１ｃｍ２あたり０．１〜３．５個有することを特徴とするティシュ。
【０００６】
（２）  各前記凸部は、線状の凹部で画成されている上記（１）に記載のティシュ。
【０００７】
（３）  各前記凹部の平均幅は、０．５〜９．５ｍｍである上記（２）に記載のティシュ。
【０００８】
（４）  当該ティシュの平面視において前記凸部が占有する割合は、５〜９５％である上記（１）ないし（３）いずれかに記載のティシュ。
【０００９】
（５）  各前記凸部の平面視形状は、多角形状である上記（１）ないし（４）のいずれかに記載のティシュ。
【００１０】
（６）  前記多角形状は、四角形状、六角形状または異形状である上記（５）に記載のティシュ。
【００１１】
（７）  前記凸部の平均高さは、０．１〜１．０ｍｍである上記（１）ないし（６）のいずれかに記載のティシュ。
【００１２】
（８）  保湿剤が含浸された保湿ティシュである上記（１）ないし（７）のいずれかに記載のティシュ。
【発明の効果】
【００１３】
本発明によれば、適度な配設密度となるように凸部を設けることにより、肌に触れる面積が適切になり、良好な肌触り感とすることができる。また、保湿剤を含侵させても、べたつきを感じさせ難く、適度なしっとり感を付与し得る。
【図面の簡単な説明】
【００１４】
【図１】本発明のティシュの第１実施形態を模式的に示す平面図である。
【図２】図１中のＡ−Ａ線断面図である。
【図３】本発明のティシュの第２実施形態を模式的に示す平面図である。
【図４】図３中のＢ−Ｂ線断面図である。
【図５】本発明のティシュの第３実施形態を模式的に示す平面図である。
【図６】本発明のティシュの第４実施形態を模式的に示す平面図である。
【発明を実施するための形態】
【００１５】
以下、本発明のティシュについて、添付図面に示す好適実施形態に基づいて詳細に説明する。
なお、添付図面では、便宜上、各部の寸法およびそれらの比率を誇張して示し、実際とは異なる場合がある。また、本明細書中に示す材料、寸法等は一例であって、本発明は、それらに限定されず、その要旨を変更しない範囲で適宜変更することが可能である。
【００１６】
＜＜第１実施形態＞＞
図１は、本発明のティシュの第１実施形態を模式的に示す平面図、図２は、図１中のＡ−Ａ線断面図である。
また、説明の都合上、図１の紙面手前側を「上」と、紙面奥側を「下」と言い、図２の上側を「上」と、下側を「下」と言う。
【００１７】
図１に示すティシュ１は、エンボス加工が施されており、このエンボス加工により上面に平面視形状が円形の凹部（図１中、黒色で示される領域）２が形成されている。本実施形態では、ティシュ１のエンボスローラの凸部で押圧された箇所、すなわちエンボスローラの凸部の形状が転写された箇所が凹部２を構成する。これに対して、ティシュ１の下面には、図２に示すように、凹部２に対応する凸部３が形成されている。
【００１８】
また、ティシュ１は、ＭＤ方向における引張強度より、ＭＤ方向と直交するＣＤ方向（における引張強度が小さくなっている。
なお、ティシュ１のＭＤ方向における引張強度は、１．０〜６．０Ｎ/２５ｍｍ程度であることが好ましく、１．０〜３．０Ｎ/２５ｍｍ程度であることがより好ましい。また、ティシュ１のＣＤ方向における引張強度は、０．３〜４．０Ｎ/２５ｍｍ程度であることが好ましく、０．３〜１．０Ｎ/２５ｍｍ程度であることがより好ましい。
【００１９】
ティシュ１の原紙（基材）は、パルプスラリーを公知の抄紙機を利用して抄紙（抄造）することで得ることができる。パルプスラリーに含まれるパルプ成分としては、木材パルプ、非木材パルプ、脱墨パルプを挙げることができる。
木材パルプとしては、例えば、広葉樹パルプ（広葉樹クラフトパルプ（ＬＫＰ））、針葉樹パルプ（針葉樹クラフトパルプ（ＮＫＰ））、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）のような化学パルプが挙げられる。また、木材パルプとしては、例えば、セミケミカルパルプ（ＳＣＰ）、ケミグラウンドウッドパルプ（ＣＧＰ）のような半化学パルプ、砕木パルプ（ＧＰ）、サーモメカニカルパルプ（ＴＭＰ、ＢＣＴＭＰ）のような機械パルプが挙げられる。
【００２０】
非木材パルプとしては、例えば、コットンリンターやコットンリントのような綿系パルプ、麻、麦わら、バガスのような非木材系パルプ、ホヤや海草等から単離されるセルロース、キチン、キトサン等が挙げられる。
脱墨パルプとしては、例えば、古紙を原料とし、脱墨することで得られるパルプが挙げられる。
なお、パルプ成分には、上記のパルプのうちの１種を単独で用いてもよいし、２種以上混合して用いてもよい。
【００２１】
パルプ成分としては、針葉樹パルプおよび広葉樹パルプから選択される少なくとも１種を用いることが好ましい。中でも、パルプ成分としては、針葉樹パルプと広葉樹パルプとを併用することが好ましく、針葉樹クラフトパルプ（ＮＫＰ）と広葉樹クラフトパルプ（ＬＫＰ）とを併用することがより好ましい。
【００２２】
パルプスラリーには、パルプ成分の他に任意成分が含まれていてもよい。任意成分としては、例えば、乾燥紙力剤、湿潤紙力剤、柔軟剤等を挙げることができる。
乾燥紙力剤としては、例えば、カチオン化澱粉、ポリアクリルアミド（ＰＡＭ）、カルボキシメチルセルロース（ＣＭＣ）等を挙げることができる。
湿潤紙力剤としては、例えば、ポリアミドエピクロロヒドリン、尿素、メラミン、熱架橋性ポリアクリルアミド等を挙げることができる。
柔軟剤としては、例えば、アニオン系界面活性剤、非イオン性界面活性剤、カチオン性界面活性剤、両性イオン界面活性剤等を挙げることができる。
【００２３】
本発明では、ティシュ１の平面積１ｃｍ２あたりに存在する凸部３の数（配設密度）は、０．１〜３．５個程度であればよいが、０．２５〜３個程度であることが好ましく、０．５〜２．５個程度であることがより好ましい。ティシュ１の平面積１ｃｍ２あたりに存在する凸部３の数が前記下限値未満であると、ティシュ１に良好な肌触り感を付与することができない。一方、ティシュ１の平面積１ｃｍ２あたりに存在する凸部３の数が前記上限値を上回ると、ティシュ１に保湿剤を含侵させた際に、べたつき感を感じる人が多くなる。
【００２４】
また、凸部３は、ティシュ１の所定の領域に偏在して設けるようにしてもよいが、ティシュ１の全面にわたって均一に設けられていることが好ましい。これにより、ティシュ１の全面において同様の肌触り感を付与することができる。
特に、ティシュ１の平面視において凸部３が占有する割合（占有面積比率）は、５〜９５％程度であることが好ましく、４０〜９０％程度であることがより好ましく、７０〜９０％程度であることがさらに好ましい。かかる占有面積比率で凸部３が存在することにより、ティシュ１の全面における肌触り感の均一性をより高めることができる。
【００２５】
各凸部３の頂面の面積は、０．２〜７０ｍｍ２程度であることが好ましく、０．２〜２０ｍｍ２程度であることがより好ましく、０．２〜５ｍｍ２程度であることがさらに好ましい。各凸部３の頂面の面積を前記範囲に設定することにより、ティシュ１の平面積１ｃｍ２あたりに存在する凸部３の数を調整し易くなる。
凸部３の平均高さは、０．１〜１．０ｍｍ程度であることが好ましく、０．１〜０．７ｍｍ程度であることがより好ましく、０．１〜０．４ｍｍ程度であることがさらに好ましい。凸部３の平均高さを前記範囲に設定することにより、ティシュ１の肌触り感をより向上させるとともに、保湿剤を含侵させた際にべたつき感が高まることを好適に防止することができる。
【００２６】
ティシュ１（または保湿ティシュ）の１プライでの秤量は、５〜３０ｇ／ｍ２程度であることが好ましく、５〜２５ｇ／ｍ２程度であることがより好ましく、１０〜２０ｇ／ｍ２程度であることがさらに好ましい。前記範囲の秤量であれば、ティシュ１（基材）の強度が十分に高くなり、エンボス加工をし易くなる。また、ティシュ１の柔軟性および生産性を高めることもできる。
ティシュ１は、１枚プライでもよいが、複数プライであることが好ましい。これにより、ティシュ１の強度を高めるとともに、ティシュ１のふんわり感を向上させることができる。
【００２７】
ティシュ１（または保湿ティシュ）の２プライでの平均厚さは、８０〜２５０μｍ程度であることが好ましく、９０〜２２０μｍ程度であることがより好ましく、１００〜２００μｍ程度であることがさらに好ましい。かかる平均厚さを有するティシュ１であれば、柔らかさが損なわれることなく、エンボス加工により凸部３を確実に形成することができる。
このようなティシュ１は、そのまま使用することもできるが、保湿剤を含浸させた保湿ティシュとして使用することもできる。
【００２８】
保湿剤としては、例えば、アロエエキス、延命草エキス、オトギリソウエキス、オオムギエキス、オレンジエキス、海藻エキス、カミツレエキス、キューカンバエキス、コンフリーエキス、ゴボウエキス、シイタケエキス、ジオウエキス、シソエキス、セージエキス、デュークエキス、冬虫夏草エキス、ドクダミエキス、ハタケシメジエキス、ビワエキス、ブドウ葉エキス、フユボダイジュエキス、プルーンエキス、ヘチマエキス、ボタンピエキス、マイカイエキス、モモノハエキス、ユリエキス、リンゴエキス、アーモンド油、オリーブ油、ゴマ油、サフラワー油、ジメチルシリコーン、シリコーン油、変性シリコーン、大豆油、椿油、ヒマシ油、ホホバ油、ミンク油、ヤシ油、ラノリン、アラビノース、ガラクトース、キシロース、グルコース、ショ糖、ソルビトール、フルクトース、マルトース、マルチトール、マンノース、ミツロウ、ヒアルロン酸、プラセンタエキス、ラムノース、キシロビオース、キシロオリゴ糖、チューベローズポリサッカライド、トリサッカライド、トレハロース、可溶性コラーゲン、グリチルリチン、コンドロイチン硫酸、ジグリセリン、スクワラン、セラミド類似化合物、トリグリセリン、尿素、ビタミンＣリン酸エステルカルシウム塩、ビタミンＥ、ピロリドンカルボン酸ナトリウム、ヒノキチオール、流動パラフィン、ワセリン、多価アルコール等が挙げられる。
【００２９】
これらの保湿剤の中でも、アロエエキス、延命草エキス、オトギリソウエキス、コンフリーエキス、シソエキス、セージエキス、セラミド類似化合物、ドクダミエキス、ハタケシメジエキス、ビワエキス、フユボダイジュエキス、ボタンピエキス、ヒマシ油、ホホバ油、ラノリン、ヒアルロン酸、プラセンタエキス、ラムノース、キシロオリゴ糖、可溶性コラーゲン、グリセリン、コンドロイチン硫酸、スクワラン、尿素および多価アルコールが好ましい。
【００３０】
多価アルコールとしては、例えば、エチレングリコール、グリセリン、１，３−ブチレングリコール、プロピレングリコール等が挙げられる。中でも、保湿剤は、グリセリンを含むことが好ましい。保湿剤には、上記化合物のうちの１種類を単独で使用してもよいし、２種類以上を組み合わせて使用してもよい。
なお、保湿剤に代えて、ティシュ１には、消毒剤、薬効成分を含有する薬液、香料を含む液体、色素を含む着色液等を含浸させるようにしてもよい。
【００３１】
このような保湿ティシュは、例えば、次のようにして製造することができる。
まず、保湿ティシュの原紙を、抄紙機を用いてパルプスラリーを抄紙することにより製造する。
この抄紙機は、一般的に、ワイヤーパート、プレスパート、ドライヤーパート、カレンダーパート、およびリールパートを備えている。
【００３２】
ワイヤーパートでは、供給されたパルプスラリーを脱水して、シート化する。
ワイヤーパートでは、パルプスラリーをフォーミングユニットに供給し、原紙となる２層抄きのシートを形成することができる。なお、フォーミングユニットにおいて３層抄きとすれば、３層抄きのシートを形成することもできる。
フォーミングユニットでは、各層を形成するパルプスラリーの成分配合比率を異なるものとすることもできる。これにより、シートを構成する各層の性状を異なるものとしてもよい。
【００３３】
プレスパートでは、ワイヤーパートにおいて形成されたシートに圧力をかけ、シートの水分を搾り取る（すなわち、脱水する）。シートに圧力をかけることにより、シートの表面を平滑にすると同時に、パルプ成分の密度を調整することもできる。
ドライヤーパートでは、プレスパートを経て得られたシートを乾燥させる。乾燥には、ヤンキードライヤーを用いることが好ましい。これにより、湿紙であったシートを乾燥状態のシート（原紙）とすることができる。
【００３４】
カレンダーパートでは、乾燥後のシートの表面を押圧しながら引き延ばして、シートの表面を滑らかにする。
リールパートでは、上記工程を経て得られた原紙を巻き取って、ロール体を形成する。
【００３５】
抄紙機は、抄紙機の後にさらにワインダーパートを備えていることが好ましい。ワインダーパートでは、リールパートで得られた１層の原紙から構成されたロール体を２本以上用意し、各ロールの原紙を重ね合わせることで、２プライ以上の原紙（基材）を形成する。また、ワインダーパートでは、２プライ以上の原紙に対してカレンダー処理を行ってもよい。
【００３６】
次に、得られた原紙に対して保湿剤を塗布する。
ここで、保湿剤を原紙に塗布する手法としては、例えば、オフセットグラビア方式、ダイレクトグラビア方式、キスコート方式、ダイコート方式のようなロールコート方式を用いることができる。
【００３７】
次に、保湿剤が塗布された原紙に、凸部３を形成する。
これは、例えば、一対のエンボスロール同士の間に、原紙を挟み込み、エンボスロールの表面に形成された凸部を型押しする。これにより、原紙にエンボス加工を施す。
エンボスロールの表面を構成する材料は、それぞれ、例えば金属材料、樹脂材料、ゴム材料等が挙げられる。
その後、エンボス加工が施された原紙を、所望の長さにカットする。これにより、保湿ティシュが得られる。
【００３８】
なお、本実施形態では、ティシュ１の上面に、平面視形状が円形の凸部３を形成するようにしてもよい。この場合、凸部と凹部との関係が反転したエンボスローラを用いて、原紙にエンボス加工を施せばよい（以下の第２〜第４実施形態参照）。
【００３９】
＜第２実施形態＞
次に、本発明のティシュの第２実施形態について説明する。
以下、第２実施形態のティシュについて説明するが、前記第１実施形態のティシュとの相違点を中心に説明し、同様の事項は、その説明を省略する。
第２実施形態のティシュ１は、凸部３の形成方法が異なり、それ以外は、前記第１実施形態のティシュ１と同様である。
【００４０】
図３は、本発明のティシュの第２実施形態を模式的に示す平面図、図４は、図３中のＢ−Ｂ線断面図である。
また、説明の都合上、図３の紙面手前側を「上」と、紙面奥側を「下」と言い、図４の上側を「上」と、下側を「下」と言う。
【００４１】
図３に示すように、第２実施形態のティシュ１は、その上面にエンボス加工によるハニカム状（線状）の凹部（図３中、黒色で示される領域）２と、凹部２により画成された平面視形状が六角形状（多角形状）の凸部（図３中、白色で示される領域）３を有している。本実施形態では、ティシュ１のエンボスローラの凸部で押圧された箇所、すなわちエンボスローラの凸部の形状が転写された箇所が凹部２を構成する。
本実施形態では、六角形状の３つの対角線のうちの１つの対角線がＭＤ方向に沿っている。
【００４２】
各凹部２の平均幅は、０．５〜９．５ｍｍ程度であることが好ましく、０．５〜５ｍｍ程度であることがより好ましく、０．５〜２．５ｍｍ程度であることがさらに好ましい。各凹部２の平均幅を前記範囲に設定することにより、ティシュ１が破れることを防止しつつ、凹部２および凸部３を確実に形成することができる。また、凸部３を密に配設することもできるので、ティシュ１の肌触り感をより向上させることもできる。
【００４３】
このような第２実施形態のティシュ１においても、前記第１実施形態のティシュ１と同様の作用および効果を発揮する。
また、凸部３の平面視形状が多角形状をなすことにより、ティシュ１が簡単に折れ曲がることを防止することができる。
なお、線状の凹部２は、その長手方向に沿って幅が一定であるが、長手方向の途中で幅が変化していてもよい。
【００４４】
＜第３実施形態＞
次に、本発明のティシュの第３実施形態について説明する。
以下、第３実施形態のティシュについて説明するが、前記第１および第２実施形態のティシュとの相違点を中心に説明し、同様の事項は、その説明を省略する。
第３実施形態のティシュ１は、凸部３の平面視形状（多角形状）が異なり、それ以外は、前記第２実施形態のティシュ１と同様である。
【００４５】
図５は、本発明のティシュの第３実施形態を模式的に示す平面図である。
図５に示すように、第３実施形態のティシュ１は、その上面にエンボス加工による格子状（交差する線状）の凹部２と、凹部２により画成された平面視形状が菱形形状（縦方向に長い四角形状）をなす凸部３を有している。
本実施形態では、菱形形状の２つの対角線のうちの長い方の対角線がＭＤ方向に沿っている。
このような第３実施形態のティシュ１においても、前記第１および第２実施形態のティシュ１と同様の作用および効果を発揮する。
【００４６】
＜第４実施形態＞
次に、本発明のティシュの第４実施形態について説明する。
以下、第４実施形態のティシュについて説明するが、前記第１〜第３実施形態のティシュとの相違点を中心に説明し、同様の事項は、その説明を省略する。
第４実施形態のティシュ１は、凸部３の平面視形状（多角形状）が異なり、かつ一列に配置された凸部３が接続されており、それ以外は、前記第２実施形態のティシュ１と同様である。
【００４７】
図６は、本発明のティシュの第４実施形態を模式的に示す平面図である。
図６に示すように、第４実施形態のティシュ１は、その上面にエンボス加工による線状の凹部２と、凹部２により画成された平面視形状が異形状（六角形状と長方形状とを組み合わせたような形状）をなす凸部３を有している。また、一列に配置された凸部３が接続されて凸条を形成している。
本実施形態では、この凸条がＭＤ方向に沿って延在している。
このような第４実施形態のティシュ１においても、前記第１〜第３実施形態のティシュ１と同様の作用および効果を発揮する。
【００４８】
以上、本発明のティシュについて説明したが、本発明は、前述した実施形態の構成に限定されるものではない。
例えば、本発明では、前記第１〜第４実施形態のうちの任意の２以上の構成を組み合わせるようにしてもよい。
【実施例】
【００４９】
以下、実施例を挙げて本発明を具体的に説明するが、本発明はこれらに限定されるものではない。
（実施例１）
原料として、針葉樹晒クラフトパルプ（ＮＢＫＰ）７０質量％と、広葉樹晒クラフトパルプ（ＬＢＫＰ）３０質量％との混合物を用意した。この混合物０．１質量部に対して水９９．９質量部を添加し、パルプスラリーを調製した。
このパルプスラリーを、２層抄きツインワイヤーフォーマーを用いて抄造した後、脱水および乾燥して、坪量が１５．１ｇ／ｍ２の原紙を得た。得られた原紙を２枚重ね合せることにより２プライの原紙を得た。
【００５０】
グリセリン８５質量％と水１５質量％とを含有する保湿剤を、オフセットグラビア方式を用いて２プライの原紙に塗布した。その後、保湿剤が塗布された原紙に、エンボス加工を施した。これにより、図１に示す平面視形状をなす凸部を有する保湿ティシュを製造した。
【００５１】
（実施例２）
図１に示す平面視形状の凸部であるが、凸部と凹部との関係が反転したエンボスローラを用いてエンボス加工を施したこと以外は、前記実施例１と同様にして、保湿ティシュを製造した。
（実施例３）
図３に示す平面視形状の凸部を形成したこと以外は、前記実施例２と同様にして、保湿ティシュを製造した。
（実施例４）
図５に示す平面視形状の凸部を形成したこと以外は、前記実施例２と同様にして、保湿ティシュを製造した。
【００５２】
（実施例５）
形成する凸部の数を変更したこと以外は、前記実施例３と同様にして、保湿ティシュを製造した。
（実施例６）
図６に示す平面視形状の凸部を形成したこと以外は、前記実施例２と同様にして、保湿ティシュを製造した。
【００５３】
（比較例１）
エンボス加工を省略したこと以外は、前記実施例１と同様にして、保湿ティシュを製造した。
（比較例２、３）
形成する凸部の数を変更したこと以外は、前記実施例３と同様にして、保湿ティシュを製造した。
【００５４】
２．測定および評価
２−１．凸部の占有面積比率および平均高さの測定
凸部の形状は、３Ｄ形状測定器ＶＲ−３２００および解析アプリケーションＶＲ−Ｈ２Ａ（いずれもキーエンス社製）を用いて測定した。手順を下記のようにした。
Ｉ：３Ｄ形状測定器ＶＲ−３２００を用いて、倍率１２倍で凸部の３Ｄ形状を撮影した。
II：解析アプリケーションＶＲ−Ｈ２Ａの機能を用いて、凸部の３Ｄ形状の全てを対象に基準線を設定した
III：同アプリケーションが備える形状補正ツールのゆがみ修正機能を用いて、凸部の３Ｄ形状の測定データについてゆがみを修正した。
【００５５】
IV：同アプリケーションの機能を用いて、基準線より上の部分を凸部として、凸部を２次元的（平面的）に見た場合の面積を「凸部の面積」とし、保湿ティシュの平面に占める割合（占有面積比率）を算出した。
Ｖ：IVと同時に、凸部の高さの平均値を算出した。これは、１水準につき５枚のサンプルのそれぞれ無作為に選んだ６か所において凸部の高さを測定し、得られた合計３０個の値を平均することにより求めた。
【００５６】
２−２．凹部の平均幅の測定
Ｉ：「２−１．凸部の占有面積比率および平均深さの測定」における手順IIIまでと同様に操作した。
II：プロファイル計測を用いて、凹部の幅の平均値を算出した。これは、１水準につき５枚のサンプルのそれぞれ無作為に選んだ４か所から画像を抽出して、２０枚の抽出画像を得た後、各抽出画像の無作為に選んだ２か所において凹部の幅を測定し、得られた４０個の値を平均することにより求めた。
【００５７】
２−３．保湿ティシュの坪量の測定
各実施例および各比較例で得られた保湿ティシュについて、ＪＩＳ  Ｐ  ８１２４に準拠して、その秤量を測定した。
【００５８】
２−４．保湿ティシュの平均厚さの測定
各実施例および各比較例で得られた保湿ティシュ（２プライ）の厚さは、厚さ計（ハイブリッジ製作所製）を用いて、測定子を１秒間に１ｍｍ以下の速度で下降させた時の値を読み取った。測定圧は５０ｋＰａとした。
なお、平均厚さは、保湿ティシュ（２プライ）を１０サンプル用意して、各サンプルにつき無作為に選んだ３ヶ所ずつ厚さを測定し、得られた合計３０か所の値を平均することにより求めた。また、厚さの測定は、ＩＳＯ１８７に準拠した環境（温度２３±１℃、相対湿度５０±２％）で行った。
【００５９】
２−５．ハンドフィール値（ＨＦ値）の測定
各実施例および各比較例で得られた保湿ティシュ（２プライ）のＨＦ値は、ティシュソフトネスアナライザー（Ｅｍｔｅｃ  Ｅｌｅｃｔｒｏｎｉｃ  ＧｍｂＨ社製）を用いて測定した。
まず、保湿ティシュを直径１１２．８ｍｍの円形にカットしてサンプルを作製した。具体的には、円形の型を保湿ティシュの中央部に位置するように配置し、型の外周に沿って保湿ティシュをカットした。なお、サンプルは、２プライのまま使用した。
【００６０】
次に、このサンプルをティシュソフトネスアナライザーのサンプル台に設置し、サンプルに対し、ブレード付きローターを１００ｍＮの押し込み圧力をかけて上方から押し込み、ブレード付きローターを回転数が２．０回転／秒となるように回転させ、その時の振動周波数を測定した。
また、同一のサンプルに対し、ブレード付きローターを１００ｍＮの圧力と、６００ｍＮの圧力とで押し込んだ際の上下方向の変形変位量を算出した。
ＨＦ値は、振動周波数と変形変位量とから算出される値であり、計算のアルゴリズムはＦａｃｉａｌＩＩを用いた。
【００６１】
ＨＦ値を算出する際は、各水準ごとに１０組のサンプルを用意した。１０組のサンプルを１組ずつ使用し、上面と下面を１回ずつ測定した。上面と下面で各１０個の測定データを得て、平均値を算出した。
なお、上記サンプルの測定は、ＩＳＯ１８７に準拠した環境（温度２３±１℃、相対湿度５０±２％）で行った。また、測定の際には、付属の説明書に従い標準サンプル（ｅｍｅｔｅｃ  ｒｅｆ．２Ｘ（ｎｎ．ｎ））で校正し、アルゴリズムをＦａｃｉａｌＩＩに設定した。計算ソフトウェアには、ｅｍｅｔｅｃ  ｍｅａｓｕｒｅｍｅｎｔ  ｓｙｓｔｅｍ  ｖｅｒ．３．２２を使用した。
【００６２】
２−６．ふんわり感の評価
各実施例および各比較例で得られた保湿ティシュのふんわり感（手触り感）を下記の評価基準に従って評価した。具体的には、男女各２０人ずつ（合計４０人）の試験者に、保湿ティシュのふんわり感について、下記の評価基準に従って点数を付けてもらい、その平均値を求めた。
【００６３】
＜評価基準＞
５：良い
４：やや良い
３：普通
２：やや悪い
１：悪い
【００６４】
２−７．しっとり感の評価
各実施例および各比較例で得られた保湿ティシュのしっとり感（手触り感）を下記の評価基準に従って評価した。具体的には、男女各２０人ずつ（合計４０人）の試験者に、保湿ティシュのしっとり感について、下記の評価基準に従って点数を付けてもらい、その平均値を求めた。
【００６５】
＜評価基準＞
５：良い（しっとり感が強く、べたつき感はない。）
４：やや良い（しっとり感はあるが、若干べたつき感もある。）
３：普通（しっとり感もべたつき感もある。）
２：やや悪い（しっとり感よりもべたつき感が強い。）
１：悪い（べたつき感が強く、しっとり感はない。）
【００６６】
【表１】
2019198477.tif 000003
【００６７】
各実施例で得られた保湿ティシュは、低い配設密度でエンボス加工による凸部を設けたので、各比較例で得られた保湿ティシュと比較して、ハンドフィール値が高まり、しっとり感、ふんわり感等の手触り感（肌触り感）が向上した。
また、各実施例で得られた保湿ティシュは、各比較例で得られた保湿ティシュと比較して、皺の発生も抑えられた。
【符号の説明】
【００６８】
１          ティシュ
２          凹部
３          凸部
【図１】
2019198477.tif 000004
【図２】
2019198477.tif 000005
【図３】
2019198477.tif 000006
【図４】
2019198477.tif 000007
【図５】
2019198477.tif 000008
【図６】
2019198477.tif 000009